(57)【要約】【課題】スイッチノブに過度の押圧力が加わってもスイッチノブがベースから脱落してしまうことを防止できるシーソー式スイッチの提供を図る。【解決手段】シーソー式スイッチは、対向する一対の支持壁２１を有するベース（１１と、ベース１１の支持壁２１の外壁面２１ａにそれぞれ近接して設けられた一対の被支持壁４１を有するスイッチノブ３１と、を備える。ベース１１の支持壁２１は、その外壁面２１ａから突設され且つスイッチノブ３１の回転軸を構成する突起部２３を有し、スイッチノブ３１の被支持壁４１は、支持壁２１の突起部２３が挿入される軸受部４３を有する。ベース１１には、スイッチノブ３１の被支持壁４１の外縁の少なくとも一部の回転軌跡に対して近接して対向配置されて支持壁２１の突起部２３から被支持壁４１の軸受部４３が離脱するのを阻止するストッパ面２９が設けられている。【選択図】図６
2007059339.tif 000002
【特許請求の範囲】
【請求項１】
対向する一対の支持壁（２１）を有するベース（１１）と、前記ベース（１１）の支持壁（２１）の外壁面（２１ａ）にそれぞれ近接して設けられた一対の被支持壁（４１）を有するスイッチノブ（３１）と、を備え、
前記ベース（１１）の支持壁（２１）は、その外壁面（２１ａ）から突設され且つ前記スイッチノブ（３１）の回転軸を構成する突起部（２３）を有し、前記スイッチノブ（３１）の被支持壁（４１）は、前記支持壁（２１）の突起部（２３）が挿入される軸受部（４３）を有し、
前記ベース（１１）は、前記スイッチノブ（３１）の被支持壁（４１）の外縁の少なくとも一部の回転軌跡に沿って設けられ前記支持壁（２１）の突起部（２３）から前記被支持壁（４１）の軸受部（４３）が離脱するのを阻止するストッパ面（２９、２９Ａ）を有することを特徴とするシーソー式スイッチ（１０）。
【請求項２】
請求項１に記載のシーソー式スイッチ（１０）であって、
前記被支持壁（４１）の内壁面（４１ａ）には、前記軸受部（４３）から前記被支持壁（４１）の外縁まで延び且つ前記被支持壁（４１）の内壁面（４１ａ）の一般部より凹設されたガイド溝（４７）を備えることを特徴とするシーソー式スイッチ。
【請求項３】
請求項１または２に記載のシーソー式スイッチ（１０）であって、
前記ストッパ面（２９Ａ）は、前記支持壁（４１）の外壁面（４１ａ）に向けて傾斜し且つ前記スイッチノブ（３１）を前記ベース（１１）側に押圧した際に前記被支持壁（２１）を前記支持壁（４１）に向けて近接させる傾斜面として構成されていることを特徴とするシーソー式スイッチ（１０）。
【発明の詳細な説明】
【技術分野】
【０００１】
本発明は、シーソー式スイッチに関する。
【背景技術】
【０００２】
シーソー式スイッチとしては、例えば特許文献１、２に開示されるようなものがある。
【０００３】
図１０〜１３はこの種のシーソー式スイッチの一従来例を示すものである。図１０〜図１３に示すシーソー式スイッチ１００は、ベース１０１と、スイッチノブ１０３と、を備える。ベース１０１には、それぞれ回転軸１０７を有する一対の支持壁１０５が設けられ、一方、スイッチノブ１０３には、ベース１０１の一対の支持壁１０５に近接して対向配置され且つ該支持壁１０５の回転軸１０７を挿入する軸受部１１１を有する一対の被支持壁１０９が設けられている。
【０００４】
スイッチノブ１０３の天板１０４の両端部（図中上下端部）にそれぞれ押圧操作部１０４ａ、１０４ｂが設けられ、一方の押圧操作部１０４ａを押圧すること、Ａ信号が出力され、他方の押圧操作部１０４ｂを押圧すると、Ｂ信号が出力されるようになっている。
【特許文献１】特開２００１−１６０３３７号公報
【特許文献２】特開平５−３４３２１１号公報
【発明の開示】
【発明が解決しようとする課題】
【０００５】
上記のシーソー式スイッチでは、図１３に示す如くスイッチノブ１０３の天板１０４に過大な押圧力Ｆが加わると、スイッチノブ１０３の被支持壁１０９が支持壁１０５から離間するように広がって、スイッチノブ１０３がベース１０１から脱落してしまう虞がある。
【０００６】
本発明は、上記事情を考慮し、スイッチノブに過度の押圧力が加わってもスイッチノブがベースから脱落してしまうことを防止できるシーソー式スイッチの提供を目的とする。
【課題を解決するための手段】
【０００７】
請求項１の発明は、対向する一対の支持壁を有するベースと、前記ベースの支持壁の外壁面にそれぞれ近接して設けられた一対の被支持壁を有するスイッチノブと、を備え、前記ベースの支持壁は、その外壁面から突設され且つ前記スイッチノブの回転軸を構成する突起部を有し、前記スイッチノブの被支持壁は、前記支持壁の突起部が挿入される軸受部を有し、前記ベースは、前記スイッチノブの被支持壁の外縁の少なくとも一部の回転軌跡に沿って設けられて前記支持壁の回転軸から前記被支持壁の軸受部が離脱するのを阻止するストッパ面を有することを特徴とするものである。
【０００８】
請求項２の発明は、請求項１に記載のシーソー式スイッチであって、前記被支持壁の内壁面には、前記軸受部から前記被支持壁の外縁まで延び且つ前記被支持壁の内壁面の一般部より凹設されたガイド溝を備えることを特徴とするものである。
【０００９】
請求項３の発明は、請求項１または２に記載のシーソー式スイッチであって、前記ストッパ面は、前記支持壁の外壁面に向けて傾斜し且つ前記スイッチノブを前記ベース側に押圧した際に前記被支持壁を前記支持壁に向けて近接させる傾斜面として構成されていることを特徴とするものである。
【発明の効果】
【００１０】
請求項１の発明によれば、ベースのストッパ面により、前記支持壁の回転軸から前記被支持壁の軸受部が離脱するのを阻止することができる。
【００１１】
請求項２の発明によれば、スイッチノブをベースに装着する際には、ガイド溝によって、ベースの支持壁の突起部を、スイッチノブの被支持壁の軸受部にスムーズにガイドできる。これにより、スイッチノブをベースに装着することが容易になる。
【００１２】
請求項３の発明によれば、スイッチノブをベース側に押圧した際には、傾斜したストッパ面によって、スイッチノブの被支持壁が、ベースの支持壁に向けて近接する。つまり、スイッチノブをベース側に押圧した際には、被支持壁の内壁面が、支持壁の外壁面に向けて近接するため、さらに支持壁の回転軸から被支持壁の軸受部が離脱しにくくなる。
【発明を実施するための最良の形態】
【００１３】
以下、本発明の実施形態を図面を参照して説明する。
【００１４】
第１実施形態：本実施形態のシーソー式スイッチは、車両のインストルメントパネル上のコントロールパネルＣＰに装備され、車両用空調装置の操作部の一部をなすものである。図１は第１実施形態のシーソー式スイッチが装備されたコントロールパネルの正面図、図２は第１実施形態のシーソー式スイッチの正面図、図３は同シーソー式スイッチの斜視図、図４は同シーソー式スイッチの分解斜視図、図５は同シーソー式スイッチのスイッチノブの裏面側から見た斜視図、図６は図２中のＶＩ−ＶＩ線に沿う断面図、図７は図２中のＶＩＩ−ＶＩＩ線に沿うスイッチノブの断面図、図８は図２中のＶＩＩＩ−ＶＩＩＩ線に沿うベースの断面図である。
【００１５】
先ず、本実施形態のシーソー式スイッチ１０が装備されるコントロールパネルＣＰについて、図１を参照して簡単に説明する。図１に示すように、コントロールパネルＣＰは、インストルメントパネル１に装着されるハウジング３と、ハウジング３内に収容されるとともにハウジング３に形成された方形の開口部３ｂを通じて該ハウジング外に部分的に露出する複数のプッシュ式スイッチ５と、ハウジング３内に収容されるとともにハウジング３に形成された円形の開口部３ａを通じて該ハウジング３外に部分的に露出する２つのシーソー式スイッチ１０と、を備える。
【００１６】
シーソー式スイッチ１０は、プッシュ式スイッチ５によって選択された操作対象（例えば吹出風量や、吹出温度調整や、吹出口切替や、吸込口切替など）を、調整するものである。
【００１７】
次に図２〜図８を参照してシーソー式スイッチ１０についてより詳しく説明する。
【００１８】
シーソー式スイッチ１０は、ハウジング３（図１参照）内に固定されたベース１１と、ベース１１に装着され且つハウジング３の開口部３ａ（図１参照）からハウジング３外に露出するスイッチノブ３１と、を備えている。
【００１９】
ベース１１は、図４に示すように、円板状の本体部１３と、円板状の本体部１３の外周縁から突設され且つ後述するスイッチノブ３１のスカート部３５の外周縁を外周側から覆うように設けられた円形の筒状部１５と、この筒状部１５から外方に突設されネジ孔などの取付部を有する複数のフランジ部１７と、本体部１３の中央部に貫通し且つ内部に図示せぬ光源などを収容する方形の筒状部１９と、この筒状部１９を挟んで対向配置され且つ本体部１３から突設された一対の支持壁２１と、を備えている。
【００２０】
ベース１１の支持壁２１の外壁面２１ａにはそれぞれ、後述するスイッチノブ３１の回転軸を構成する略円柱形状の突起部２３が設けられている。
【００２１】
一方、スイッチノブ３１は、図４に示すように、略円形の天板３３と、天板３３の外周縁全周からは下方に向けて突設されたスカート部３５と、を備えて、図１に示すように平面視で略円形に形成され且つ図６に示すように縦断面形状が略コ字状に形成されている。
【００２２】
天板３３の中央部には円形の開口３７が設けられ、この開口３７に意匠プレート３９が装着されている。天板３３の裏面からは図５に示すように互いに対向配置された一対の被支持壁（可撓プレート）４１が下方に向けて突設され、この被支持壁４１の略中央部には軸受部を構成する軸受孔４３が設けられている。この軸受孔４３は、上述のベース１１の突起部２３を軸支する。これにより、スイッチノブ３１は、回転軸２３を中心にシーソー式に回動するようになっており、スイッチノブ３１の天板３３が、回転中心線Ｃの挟んでその両側がそれぞれ押圧操作部３３ａ、３３ｂとなっている。スイッチノブ３１のスカート部３５の下端からは、回転中心線Ｃを跨いで対称位置に設けられた一対のアーム部４５ａ、４５ｂが設けられおり、このアーム部４５ａ、４５ｂは、それぞれベース１１の本体部１３に形成された開口部２５を通じてベース１１の裏面側に配置された図示せぬ回路基板上の２つのスイッチ素子にそれぞれ近接配置されている。
【００２３】
天板３３の一方の押圧操作部３３ａを押圧すると、この押圧操作部３３ａの下方に設けられたアーム部４５ａが押し下げられて、このアーム部４５ａが図示せぬ回路基板上の一方のスイッチ素子を押圧して、Ａ信号を出力できるようになっている。また、天板３３の他方の押圧操作部３３ｂを押圧すると、この押圧操作部３３ｂの下方に設けられたアーム部４５ｂが押し下げられて、このアーム部４５ｂが図示せぬ回路基板上の他方のスイッチ素子を押圧して、Ｂ信号を出力できるようになっている。なお、Ａ信号およびＢ信号は単に異なる信号を意味するものである。
【００２４】
そして、このスイッチ素子からの出力信号に応じて図示せぬ制御回路が、空調装置の所定の部分（例えば吸込モードを切り替えるためのインテークドアの回動位置や、吹出モードを切り替えるための複数の吹出ドアの回動位置や、例えば吹出量を調整するための送風機のモータへの通電量や、例えば吹出温度を調整するエアミックスドアの開度など）を制御するようになっている。
【００２５】
なお、符号４９はスイッチノブ３１のスカート部３５の下端から突設された位置決めピンであり、符号２７はベース１１の本体部１３に開口し前記位置決めピン４９が挿入される位置決め孔である。
【００２６】
ここで、図５に示すように、スイッチノブ３１の被支持壁４１の内壁面４１ａには、軸受孔４３から被支持壁４１の外縁４１ｃまで延び且つ被支持壁４１の内壁面４１ａの一般部より凹設されたガイド溝４７を備える。このガイド溝４７は、軸受孔４３から被支持壁外縁４１ｃに向けて除々に拡開するように扇状に設けられている。これにより、スイッチノブ３１をベース１１に装着する際に、ベース１１の支持壁２１の突起部２３を、スイッチノブ３１の被支持壁４１の軸受孔４３に向けてスムーズにガイドできる。つまり、スイッチノブ３１をベース１１にスムーズに装着できる。
【００２７】
また、ベース１１の本体部１３には、図４、６、８に示すように支持壁２１の基端近傍に、円弧状のストッパ面２９が設けられている。このストッパ面２９は、スイッチノブ３１の被支持壁４１の外縁４１ｃの少なくとも一部の回転軌跡（なおこの例では被支持壁４１の下端外縁が回転中心線Ｃを中心とした円弧状に形成れているため、回転軌跡は被支持壁の下端外縁４１ｃに一致する）に対して近接して対向配置されている。そのため、スイッチノブ３１に所定以上の過度の押し下げ力Ｆが入力されたときに、支持壁２１の回転軸２３から被支持壁４１の軸受孔４３が離脱しかけても、被支持壁４１の外縁４１ｃがストッパ面２９に突き当たることで、支持壁２１の回転軸２３から被支持壁４１の軸受孔４３が離脱することが阻止され、スイッチノブ３１がベース１１から脱落することが阻止される。
【００２８】
以下、本実施形態の効果をまとめる。
【００２９】
（１）本実施形態のシーソー式スイッチ１０によれば、ベース１１は、スイッチノブ３１の被支持壁４１の外縁の少なくとも一部の回転軌跡（この例では回転軌跡は被支持壁４１の下端外縁４１ｃの輪郭に一致）に沿って近接するストッパ面２９を有する。そのため、スイッチノブ３１に所定以上の過度の押し下げ力Ｆが入力された際には、スイッチノブ３１の被支持壁４１の下端外縁４１ｃがストッパ面２９に突き当たり、これにより支持壁２１の回転軸２３から被支持壁４１の軸受部４３が離脱するのが阻止され、スイッチノブ３１の脱落が阻止される。
【００３０】
（２）また本実施形態のシーソー式スイッチ１０によれば、被支持壁４１の内壁面４１ａには、軸受部４３から被支持壁４１の外縁４１ｃまで延び且つ被支持壁４１の内壁面４１ａの一般部より凹設されたガイド溝４７が設けられている。そのため、スイッチノブ３１をベース１１に装着する際には、ベース１１の支持壁２１の突起部２３が、ガイド溝４７にガイドされつつスイッチノブ３１の被支持壁４１の軸受部４３にスムーズに装着される。つまり本実施形態によれば、スイッチノブ３１をベース１１にスムーズに装着することができる。
【００３１】
（３）また本実施形態では、ガイド溝４７が軸受部４３から被支持壁４１の外縁４１ｃに向けて除々に拡開している。そのため、さらにスムーズにスイッチノブ３１をベース１１に装着することができる。
【００３２】
次に、本発明の他の実施形態を説明する。なお、上述の実施形態と同一の構成については同一の符号を付して構成およびその作用効果の説明を省略する。
【００３３】
第２実施形態：次に、図１０を参照しつつ本発明の第２実施形態を説明する。
【００３４】
図１０は本発明の第２実施形態のシーソー式スイッチの断面図を示すものである。図１０に示すように、第２実施形態のシーソー式スイッチ１０は、ストッパ面２９Ａが支持壁２１の外壁面２１ａに向けて傾斜し且つ回転中心線Ｃに対して傾斜している点で、ストッパ面２９が支持壁２１の外壁面２１ａと直交し且つ回転中心線Ｃと平行に設けられた第１実施形態と異なる。この第２実施形態のストッパ面２９Ａは、スイッチノブ３１をベース１１側に押圧した際には、スイッチノブ３１の被支持壁４１をベース１１の支持壁２１に向けて近接させるように機能する。
【００３５】
つまり、第２実施形態のシーソー式スイッチによれば、ストッパ面２９Ａが、支持壁２１の外壁面２１ａに向けて傾斜し且つスイッチノブ３１をベース１１側に押圧した際にスイッチノブ３１の被支持壁４１をベース１１の支持壁２１に向けて近接させる傾斜面として構成されている。そのため、スイッチノブ３１をベース１１側に押圧した際には、被支持壁４１の外縁下端４１ｃがストッパ面２９に突き当たり、被支持壁４１が押し下げようとすればするほど傾斜したストッパ面２９に沿って被支持壁４１が支持壁２１に向けて近接することとなるため、第１実施形態よりもさらに被支持壁４１が支持壁２１から脱落しにくくなる。
【００３６】
なお、本発明は上述の実施形態のみに限定解釈されるものではなく、本発明の技術的思想の範囲内で様々な変更が可能である。
【００３７】
例えば、上述の実施形態では、ストッパ面は被支持壁の外縁の回転軌跡上から離間して設けられているが、本発明にあっては、ストッパ面を、被支持壁の外縁の回転軌跡上に形成し常に被支持壁の外縁と摺動接触するように設定してあってもよい。このように構成すると、よりスイッチノブがベースから脱落することをより確実に阻止することができる。また、本発明にあっては、その他、様々な変更が可能である。
【図面の簡単な説明】
【００３８】
【図１】図１は本発明の第１実施形態のシーソー式スイッチが装備されたコントロールパネルの正面図。
【図２】図２は本発明の第１実施形態のシーソー式スイッチの正面図。
【図３】図３は同シーソー式スイッチの斜視図。
【図４】図４は同シーソー式スイッチの分解斜視図。
【図５】図５は同シーソー式スイッチのスイッチノブの裏面側から見た斜視図。
【図６】図６は図２中のＶＩ−ＶＩ線に沿う断面図。
【図７】図７は図２中のＶＩＩ−ＶＩＩ線に沿うスイッチノブの断面図。
【図８】図８は図２中のＶＩＩＩ−ＶＩＩＩ線に沿うベースの断面図である。
【図９】図９は本発明の第２実施形態のシーソー式スイッチの断面図。
【図１０】従来のシーソー式スイッチの一例を示す正面図。
【図１１】図１０のシーソー式スイッチの分解斜視図。
【図１２】図１０中のＸＩＩ−ＸＩＩ線に沿う断面図。
【図１３】図１２においてスイッチノブに過大な押圧力をかけた状態を示す断面図。
【符号の説明】
【００３９】
１０…シーソー式スイッチ
１１…ベース
２１…支持壁
２１ａ…外壁面
２３…突起部（回転軸）
２９…ストッパ面
２９Ａ…ストッパ面
３１…スイッチノブ
３３…天板
４１…被支持壁
４１ａ…内壁面
４１ｃ…被支持壁の外縁の一部
４３…軸受孔（軸受部）
４７…ガイド溝
Ｃ…回転中心線
ＣＰ…コントロールパネル
Ｆ…押圧力
【図１】
2007059339.tif 000003
【図２】
2007059339.tif 000004
【図３】
2007059339.tif 000005
【図４】
2007059339.tif 000006
【図５】
2007059339.tif 000007
【図６】
2007059339.tif 000008
【図７】
2007059339.tif 000009
【図８】
2007059339.tif 000010
【図９】
2007059339.tif 000011
【図１０】
2007059339.tif 000012
【図１１】
2007059339.tif 000013
【図１２】
2007059339.tif 000014
【図１３】
2007059339.tif 000015